(57)【要約】【課題】  押圧による十分な指圧効果を得ることができ、身体へのクッションの押圧部位を変更しなくてもクッションによる押圧部位を変更させることが可能なクッションを提供すること。【解決手段】  底面２２が湾曲面に形成された本体部２０と、本体部２０の上面に配設された複数の突起３０と、を有していることを特徴とするクッション１０である。また、本体部２０の底面は、第１湾曲面２２Ａと、第１湾曲面２２Ａと直交する方向における第２湾曲面２２Ｂとが互いに異なる曲率の湾曲面に形成されていることが好ましく、複数の突起３０には、互いの対向面における所要範囲に磁石４０が埋設されていることが好ましい。【選択図】図５
2018122075.tif 000002
【特許請求の範囲】
【請求項１】
底面が湾曲面に形成された本体部と、
前記本体部の上面に配設された複数の突起と、を有することを特徴とするクッション。
【請求項２】
前記本体部の底面は、第１湾曲面と前記第１湾曲面と直交する方向における第２湾曲面とにより形成されていて、前記第１湾曲面と前記第２湾曲面が互いに異なる曲率の湾曲面に形成されていることを特徴とする請求項１記載のクッション。
【請求項３】
前記複数の突起には、互いの対向面における所要範囲に磁石が埋設されていることを特徴とする請求項１または２記載のクッション。
【請求項４】
前記磁石は、前記複数の突起の表面側がＮ極面となるように配設した第１磁石と、前記複数の突起の表面側がＳ極面となるように配設した第２磁石とからなり、
前記第１磁石を中心として、前記第１磁石の外周を囲む配置で前記第２磁石が埋設されていることを特徴とする請求項３記載のクッション。
【請求項５】
前記複数の突起は、前記本体部に着脱可能なシェル形状に形成されていて、前記本体部の前記複数の突起の配設箇所には、前記複数の突起との間に空洞部分が形成されていて、当該空洞部分には温冷ジェルが配設されていることを特徴とする請求項１〜４のうちのいずれか一項に記載のクッション。
【請求項６】
前記空洞部分の内壁面には芳香剤収容ポケットが形成されていると共に、前記複数の突起には前記空洞部分と外部とを連通する連通孔が形成されていることを特徴とする請求項５記載のクッション。
【発明の詳細な説明】
【技術分野】
【０００１】
本発明はクッションに関する。
【背景技術】
【０００２】
疲労回復や健康促進を図るために身体の所定箇所に押圧等による刺激を与えるためのクッションの構成の一例が特許文献１：特開平９−３１３３２１号公報等において開示されている。
【先行技術文献】
【特許文献】
【０００３】
【特許文献１】特開平９−３１３３２１号公報
【発明の概要】
【発明が解決しようとする課題】
【０００４】
特許文献１に開示されているクッションは、クッション材の両側面に永久磁石を配設したものである。このようなクッションによれば、リラックスした状態で首筋周りに押圧による刺激や磁気を照射することが可能になり、疲労回復や健康促進を図ることができる点で好適である。しかしながら特許文献１に記載されているクッションの場合、本体部分が弾力性に富んだクッション材であるため、指圧効果が不十分に感じてしまうといった課題がある。また、クッションによる刺激を受ける部位を変更するためには、クッションを押圧させる部位を頻繁に変更しなければならず煩雑であるといった課題を有している。
【課題を解決するための手段】
【０００５】
そこで本発明は、押圧による十分な指圧効果を得ることができ、身体へのクッションの押圧部位を変更しなくてもクッションによる押圧部位を変更させることが可能なクッションの提供を目的としている。本目的を達成するため発明者が鋭意研究した結果、以下の構成に想到した。
【０００６】
すなわち本発明は、底面が湾曲面に形成された本体部と、前記本体部の上面に配設された複数の突起と、を有することを特徴とするクッションである。
【０００７】
これにより、身体のツボを複数の突起で押圧刺激することができる。また、底面が湾曲面に形成されているのでクッションの突起を押圧させた状態を維持したまま身体を揺動させることで、十分な指圧効果を得ることができると共に、クッションの突起による押圧部位を当初の押圧部位だけでなくその周辺部位まで拡大させることができる。
【０００８】
また、前記本体部の底面は、第１湾曲面と前記第１湾曲面と直交する方向における第２湾曲面とにより形成されていて、前記第１湾曲面と前記第２湾曲面が互いに異なる曲率の湾曲面に形成されていることが好ましい。
【０００９】
これにより、当初の身体への当接部位に対して異なる押圧刺激やストレッチ作用を与えることができるので、よりリラックス効果を高めることができる。
【００１０】
また、前記複数の突起には、互いの対向面における所要範囲に磁石が埋設されていることが好ましい。
【００１１】
これにより、突起による押圧刺激だけなく、磁力の照射によるほぐし効果を期待することができる。
【００１２】
また、前記磁石は、前記複数の突起の表面側がＮ極面となるように配設した第１磁石と、前記複数の突起の表面側がＳ極面となるように配設した第２磁石とからなり、前記第１磁石を中心として、前記第１磁石の外周を囲む配置で前記第２磁石が埋設されていることが好ましい。
【００１３】
これにより、突起の周辺部分への磁力照射を集中させることができる。
【００１４】
また、前記複数の突起は、前記本体部に着脱可能なシェル形状に形成されていて、前記本体部の前記複数の突起の配設箇所には、前記複数の突起との間に空洞部分が形成されていて、当該空洞部分には温冷ジェルが配設されていることが好ましい。
【００１５】
これにより、クッションによる押圧部位周りを温めた状態にすることができるため、リラックス効果や指圧効果をさらに高めることができる。
【００１６】
また、前記空洞部分の内壁面には芳香剤収容ポケットが形成されていると共に、前記複数の突起には前記空洞部分と外部とを連通する連通孔が形成されていることが好ましい。
【００１７】
これにより、温冷ジェルが収容されている部分にアロマオイルなどの芳香剤を収容することで、温冷ジェルの温度により芳香剤成分が複数の突起に形成された連通孔から使用者に香気成分を供給することができ、よりリラックスした状態での使用が可能になる。
【発明の効果】
【００１８】
本発明におけるクッションの構成を採用することにより、突起による十分な押圧による刺激を得ることができ、身体へのクッションの押圧部位を変更しなくてもクッションによる押圧部位を変更させることが可能になる。
【図面の簡単な説明】
【００１９】
【図１】本実施形態におけるクッションの正面図である。
【図２】本実施形態におけるクッションの平面図である。
【図３】本実施形態におけるクッションの左側面図である。
【図４】本実施形態におけるクッションの斜視図である。
【図５】本実施形態におけるクッションの分解図である。
【図６】本体部の変形例を示す平面図である。
【発明を実施するための形態】
【００２０】
以下、本発明におけるクッションの実施形態について図面に基づいて説明する。図１〜図４に示すように、本実施形態のクッション１０は、底面２２が湾曲面に形成された本体部２０と、本体部２０の上面に配設された２つの突起３０を有している。これら２つの突起３０は、本体部２０の上面に使用者の押圧部位である首をセットした際において、首周りのツボである天柱の位置に位置合わせされた状態で本体部２０に配設されている。すなわち、２つの突起３０により首の骨が挟み込まれた状態（首が突起３０によって挟持された状態）にすることができる。また、２つの突起３０には、互いの対向面における所要範囲に磁石４０が埋設されている。なお、本実施形態においては、本体部２０をポリウレタンで形成し、突起３０をＡＢＳ樹脂により形成している。また、底面２２は本体部２０とは別体であり、ＡＢＳ樹脂とＴＰＲ樹脂との混合材料により形成されている。
【００２１】
底面２２の湾曲面は、本体部２０への２つの突起３０の配設方向（首を挟持する方向）における湾曲面である第１湾曲面２２Ａと、２つの突起３０の配設方向と水平面内で直交する方向における湾曲面である第２湾曲面２２Ｂとが、異なる曲率半径に形成されている。ここでは、第１湾曲面２２Ａの曲率半径Ｒ１が第２湾曲面２２Ｂの曲率半径Ｒ２よりも大きくなるように形成されている。具体的には、第１湾曲面２２Ａの曲率半径Ｒ１を２３０ｍｍとし、第２湾曲面２２Ｂの曲率半径Ｒ２を１００ｍｍとした。このようにクッション１０の設置平面内において互いに直交する方向における底面２２の第１湾曲面２２Ａおよび第２湾曲面２２Ｂの曲率半径Ｒ１，Ｒ２を異ならせることにより、使用者がクッション１０を用いて寝そべった状態で、首をねじらせる方向および首を反らす方向への動作を行い易くすることができる。
【００２２】
図５に示すように、本体部２０と底面２２は個別に形成されていて、底面２２は本体部２０にねじＮによりねじ留めされている。底面２２の第１湾曲面２２Ａおよび第２湾曲面２２Ｂの曲率半径Ｒ１，Ｒ２は、使用者の好みに応じて適宜選択することができるため、本実施形態で説明した曲率半径Ｒ１，Ｒ２の値に限定されるものではない。あらかじめ複数種類の底面２２を準備しておけば、ドライバーで容易に底面２２の湾曲面の状態を変更することも可能である。
【００２３】
本体部２０の上面には、突起３０の装着位置に円柱状のくぼみ２４が形成されている。くぼみ２４には有底筒体のケース２６が収容されている。ケース２６はねじＮにより底面２２および本体部２０と一体に装着されている。ケース２６の上側開口部分にはケース２６に着脱可能な突起３０が装着されている。本実施形態における突起３０はキャップ３２付きのシェル形状体３４により形成されている。
【００２４】
シェル形状体３４にはＮ極面が表面側となるように配設した第１磁石４２と、第１磁石４２の外周を囲む配置でＳ極面がシェル形状体３４の表面側となるようにした第２磁石４４がシェル形状体３４の頂上部の内側範囲に埋設されている。ここでは第１磁石４２および第２磁石４４ともネオジム磁石を採用した。第１磁石４２と第２磁石４４はシリコンプレート２８によりカバーされ、シリコンプレート２８にキャップ３２が被せられている。キャップ３２には第１磁石４２と第２磁石４４の配設位置に位置合わせして開口部３２Ａが形成されているので、開口部３２Ａからシリコンプレート２８の一部を露出させることができる。これにより突起３０への磁石４０の配設位置を明確にしている。
【００２５】
このように、２つの突起３０において互いの対向面である突起３０の頂点位置の内側に変位させた所要範囲に磁石４０を装着しているので、磁石４０からの磁力を天柱の位置から使用者の首筋の中心部分に向けて照射させることができる。また、シェル形状体３４（突起３０）に配設された磁石４０を、表面側がＮ極面である第１磁石４２と表面側がＳ極面である第２磁石４４とにより構成しているので、突起３０が当接している部分に磁石４０からの磁力線を集中させると共に、外部への磁力線の漏洩を最小限に抑えることができる点において好都合である。
【００２６】
また、シェル形状体３４の底辺部分には、半球状の突部３５が所要間隔をあけて複数配設されており、突部３５にはシェル３４形状体（突部３５）の内部と外部とを連通する連通孔３５Ａが形成されている。本実施形態においては、図５に示すように突部３５の頂点部分に１つの連通孔３５Ａが形成された形態について示しいているが、突部３５全体に微細な連通孔３５Ａを複数配設した形態を採用することもできる。
【００２７】
また、突起３０とケース２６によって突起３０の配設箇所下側部分には空洞部分２７が形成されることになる。本実施形態においてはこの空洞部分２７に温冷ジェル５０を収容している。このような温冷ジェル５０は吸水ポリマー等の公知の構成を用いることができる。加熱または冷却した温冷ジェル５０を突起３０の下側部分に形成された空洞部分２７に収容することにより、好みに応じた突起３０の温度感触を得ることができる。
【００２８】
また、空洞部分２７の内壁面のいずれかには、芳香剤収容ポケット２７Ａが形成されている。本実施形態においては、図５に示すように空洞部分２７の内周壁面に芳香剤収容ポケット２７Ａを形成した。芳香剤収容ポケット２７Ａにはアロマオイル等を含浸させた綿棒やこより等を収容することができる。温冷ジェル５０の熱または使用者の体温により、芳香剤収容ポケット２７Ａに収容された芳香剤成分が空洞部分２７の内部と外部とを連通する連通孔３５Ａから使用者に供給することができる。これにより使用者は、自分の好きな香気成分を感じながらリラックスした状態でツボの刺激やストレッチ運動をすることができる。
【００２９】
以上に本発明におけるクッション１０について実施形態に基づいて詳細に説明を行ったが、本発明の技術的範囲は、以上の実施形態に限定されるものではない。例えば、本実施形態においては、２つの突起３０によって首筋のツボである天柱を刺激する形態について説明しているが、２つの突起３０は、背骨の両端部や、腰部、ふくらはぎ、太腿、腕、二の腕などに点在するツボを刺激することができる配設ピッチになっているので、使用者の好みに応じて使用者の体の様々な部位のツボを刺激する際においても好適に用いることができる。
【００３０】
また、本実施形態においては本体部２０の上面に２つの突起３０が配設された形態について説明しているが、突起３０の配設数は２つに限定されるものではない。突起３０は２つを一組にして複数組の突起３０を配設することが好ましいが、偶数個に限定されるものではなく、複数個の突起３０が配設されていればよい。
【００３１】
また、以上の実施形態では、突起３０に磁石４０を埋設する際に、第１磁石４２と第２磁石４４を用いた形態について説明しているが、一種類の磁石４０を突起３０の表面に配設することもできる。さらには、突起３０の表面に磁石４０の表面を露出させた状態で配設する用にしてもよい。突起３０に磁石４０を配設させる際においては突起３０部分から磁力線を照射させることが可能な構成になっていればよいのである。さらには、突起３０の押圧部位に対する磁力の照射が不要である場合には突起３０への磁石４０の埋設（配設）を省略した形態を採用することも可能である。
【００３２】
また、本実施形態においては、クッション１０の底面２２には、２つの突起３０の配設方向における湾曲面である第１湾曲面２２Ａと、２つの突起３０の配設方向と水平面内で直交する方向における湾曲面である第２湾曲面２２Ｂとがそれぞれ異なる曲率半径に形成されている形態について説明しているが、底面２２の湾曲面を球面に形成する（第１湾曲面２２Ａと第２湾曲面２２Ｂの曲率を等しくする）ことも可能である。
【００３３】
また、以上の実施形態においては、空洞部分２７（ケース２６）の内周壁面に芳香剤収容ポケット２７Ａを配設しているが、図６に示すように空洞部分２７（ケース２６）の内底面に芳香剤収容ポケット２７Ａを配設してもよい。さらには、温冷ジェル５０の平面視形状を図６に示すように芳香剤収容ポケット２７Ａの外表面を取り囲むような形状にすることもできる。これにより、温冷ジェル５０に芳香剤を含浸させた綿棒等が直接接触することを防止すると共に、芳香剤成分を温冷ジェル５０によって効率的に加熱することができる点において好都合である。
【００３４】
また、以上の実施形態においては、シェル形状体３４の表面に磁石４０を配設する際、磁石４０と、シリコンプレート２８とキャップ３２をそれぞれ別部材として用い、シェル形状体３４の表面に順次組み込む形態について説明しているが、キャップ３２とシリコンプレート２８を一体形成したり、キャップ３２とシリコンプレート２８と磁石４０を一体形成しておくこともできる。
【００３５】
そして以上の変形例の他、本実施形態において説明した形態を適宜組み合わせた構成を採用することも可能である。
【符号の説明】
【００３６】
１０  クッション，
２０  本体部，２２  底面，２２Ａ  第１湾曲面，２２Ｂ  第２湾曲面，２４  くぼみ，２６  ケース，
２７  空洞部分，２７Ａ  芳香剤収容ポケット，２８  シリコンプレート，
３０  突起，３２  キャップ，３２Ａ  開口部，３４  シェル形状体，
３５  突部，３５Ａ  連通孔，
４０  磁石，４２  第１磁石，４４  第２磁石，
５０  温冷ジェル
【図１】
2018122075.tif 000003
【図２】
2018122075.tif 000004
【図３】
2018122075.tif 000005
【図４】
2018122075.tif 000006
【図５】
2018122075.tif 000007
【図６】
2018122075.tif 000008